(57)【特許請求の範囲】
【請求項１】
開口部を有する断熱箱体と、
前記開口部を閉塞する観音開式の第１の扉及び第２の扉と、
前記第１の扉または第２の扉のいずれか一方に設けられ、該扉の開閉動作に連動して回動する仕切板とを有し、
前記仕切板を設けた方の扉の、前記仕切板を設けた側の側面に、前記第１の扉と第２の扉の両方が閉まっている場合には収納され、前記第１の扉もしくは第２の扉のいずれか一方が開いている場合には突出可能な突出自在の取っ手を備えた
ことを特徴とする冷蔵庫。
【請求項２】
開口部を有する断熱箱体と、
前記開口部を閉塞する観音開式の第１の扉及び第２の扉と、
前記第１の扉または第２の扉のいずれか一方に設けられ、該扉の開閉動作に連動して回動する仕切板とを有し、
前記仕切板を設けた方の扉の、前記仕切板を設けた側の側面に突出自在の取っ手を備え、
前記取っ手は板状部材から成り、
前記取っ手を前記扉に蝶着する回転軸と、
前記取っ手に連接されたバネとを有するとともに、
前記取っ手を設けた方の扉の側面には前記取っ手を収納可能な空間を形成しており、
前記取っ手は、前記第１の扉及び第２の扉の両方が閉まっているときには前記空間に収納されており、前記第１の扉もしくは第２の扉のいずれかが開かれたときには前記バネの弾性力により回動して前記扉から突出した状態に保持される
ことを特徴とする冷蔵庫。
【請求項３】
前記取っ手の断面は、円弧状、直線状、またはＬ字型を有する
ことを特徴とする請求項２記載の冷蔵庫。
【請求項４】
開口部を有する断熱箱体と、
前記開口部を閉塞する観音開式の第１の扉及び第２の扉と、
前記第１の扉または第２の扉のいずれか一方に設けられ、該扉の開閉動作に連動して回動する仕切板とを有し、
前記仕切板を設けた方の扉の、前記仕切板を設けた側の側面に突出自在の取っ手を備え、
前記取っ手は断面コ形状の柱状部材からなり、
前記取っ手の断面の閉塞側に設けられた第１の磁石と、
前記取っ手が設けられていない方の扉の前記取っ手と相対する面に設けられ、前記第１の磁石と同極の第２の磁石と、
前記取っ手を設けた扉の側面に形成され、前記取っ手が収納可能な空間と、
前記取っ手と前記空間とを連接するバネとを備え、
前記取っ手は、前記第１の扉及び第２の扉の両方が閉まっているときには前記第１の磁石及び第２の磁石の反発力により前記空間に収納されており、前記第１の扉もしくは第２の扉のいずれかが開かれたときには前記バネの弾性力により前記扉から突出した状態に保持される
ことを特徴とする冷蔵庫。
【請求項５】
前記取っ手は、前記仕切板の幅よりも長く突出する
ことを特徴とする請求項１〜請求項４のいずれかに記載の冷蔵庫。
【請求項６】
前記第１の扉または第２の扉のうち少なくとも一方の開閉回数に応じて前記取っ手の交換時期を表示する表示手段を備えた
ことを特徴とする請求項１〜請求項５のいずれかに記載の冷蔵庫。
【請求項７】
前記仕切板を略透明部材で構成した
ことを特徴とする請求項１〜請求項６のいずれかに記載の冷蔵庫。
【請求項８】
開口部を有する断熱箱体と、
前記開口部を閉塞する観音開式の第１の扉及び第２の扉と、
前記断熱箱体の開口部に設けられ、前記第１の扉及び第２の扉と当接する閉塞板とを有し、
前記第１の扉または第２の扉のいずれか一方の扉において、前記閉塞板と当接する側の側面に、前記第１の扉と第２の扉の両方が閉まっている場合には収納され、前記第１の扉もしくは第２の扉の少なくともいずれか一方が開いている場合には突出可能な突出自在の取っ手を備えた
ことを特徴とする冷蔵庫。
【請求項９】
開口部を有する断熱箱体と、
前記開口部を閉塞する観音開式の第１の扉及び第２の扉と、
前記断熱箱体の開口部に設けられ、前記第１の扉及び第２の扉と当接する閉塞板とを有し、
前記第１の扉及び第２の扉の前記閉塞板と当接する側の側面に、前記第１の扉と第２の扉の両方が閉まっている場合には収納され、前記第１の扉もしくは第２の扉の少なくともいずれか一方が開いている場合には突出可能な突出自在の取っ手を備えた
ことを特徴とする冷蔵庫。
【請求項１０】
開口部を有する断熱箱体と、
前記開口部を閉塞する観音開式の第１の扉及び第２の扉と、
前記断熱箱体の開口部に設けられ、前記第１の扉及び第２の扉と当接する閉塞板とを有し、
前記第１の扉または第２の扉のいずれか一方の扉において、前記閉塞板と当接する側の側面に突出自在の取っ手を備え、
前記取っ手は板状部材から成り、
前記取っ手を前記扉に蝶着する回転軸と、
前記取っ手に連接されたバネとを有するとともに、
前記取っ手を設けた方の扉の側面には前記取っ手を収納可能な空間を形成しており、
前記取っ手は、前記第１の扉及び第２の扉の両方が閉まっているときには前記空間に収納されており、前記第１の扉もしくは第２の扉のいずれかが開かれたときには前記バネの弾性力により回動して前記扉から突出した状態に保持される
ことを特徴とする冷蔵庫。
【請求項１１】
前記取っ手の断面は、円弧状、直線状、またはＬ字型を有する
ことを特徴とする請求項１０記載の冷蔵庫。
【請求項１２】
前記取っ手は、前記閉塞板の幅よりも長く突出する
ことを特徴とする請求項８〜請求項１１のいずれかに記載の冷蔵庫。
【請求項１３】
前記第１の扉または第２の扉のうち少なくとも一方の開閉回数に応じて前記取っ手の交換時期を表示する表示手段を備えた
ことを特徴とする請求項８〜請求項１２のいずれかに記載の冷蔵庫。
【請求項１４】
前記閉塞板を略透明部材で構成した
ことを特徴とする請求項８〜請求項１３のいずれかに記載の冷蔵庫。
【請求項１５】
前記取っ手は、前記取っ手が設けられた扉の側面とは異なる色により形成されている
ことを特徴とする請求項１〜請求項１４のいずれかに記載の冷蔵庫。
【発明の詳細な説明】
【技術分野】
【０００１】
この発明は冷蔵庫に関し、特に観音開式の扉を有する冷蔵庫に関する。
【背景技術】
【０００２】
最近の家庭用冷蔵庫においては、冷蔵庫の扉が左右２枚に分けられたフレンチタイプと呼ばれる観音開式の扉を持つ冷蔵庫の需要が拡大している。これは、冷蔵庫が大型化して冷蔵室の扉収納が増加したことに対し、観音開式の扉とすることでその荷重を分散して扉が重くなりすぎるのを防ぐことができるためである。これにより、使用者の使い勝手は向上し、マンションなど限られたスペースでコンパクトに使用するのに便利であり、また、小物を取り出すときなどは片側の扉のみ開ければよく冷蔵室の扉開閉による熱漏洩を抑制できる、など様々な点において利便性の高い構成として受け入れられている。
【０００３】
一般的に、冷蔵庫の扉裏面周辺部には、マグネットを挿入したシール材としてのガスケットが張り巡らされており、これによって扉を閉じたときに冷蔵庫本体と扉とを密着させ、冷蔵庫の気密性を維持している。観音開式の扉を有する冷蔵庫においては、本体の開口部を仕切るようにして閉塞板を設け、この閉塞板に左右の扉のガスケットを当接させることで、冷蔵庫本体と扉とを密着させていた。
【０００４】
また、従来の冷蔵庫においては、「両扉の非枢支側に位置する開口縁部に於いて柱状に突出形成されたガイド部と、第１扉の非枢支側部分の裏面に開口縁に渡る長さで扉の回動自在に支持され前記第１扉の閉動作に伴って庫内に侵入し前記ガイド部に挿入される半円形状の溝の始端を短辺に開口した仕切体を設ける」ものが提案されている（例えば、特許文献１参照）。また、「両扉の非枢支側に位置する開口縁部に湾曲柱として突入形成した一対のガイド部と、第１扉の非枢支側部分の裏面に開口縁に渡る長さで扉の回動自在に支持され前記第１扉の閉動作に伴って庫内に侵入し前記ガイド部の湾曲柱に位置する湾曲したガイド溝部を有した仕切体を設ける」ものも提案されている（例えば、特許文献２参照）。
【０００５】
【特許文献１】特許第２５４８３３７号公報（第２−３頁、第１図）
【特許文献２】特許第２５４８３４１号公報（第２−３頁、第１図）
【発明の開示】
【発明が解決しようとする課題】
【０００６】
従来の特許文献１、２で示された冷蔵庫においては、仕切板を設けていない方の扉を最初に開け、続いて仕切板を設けた扉（上記特許文献１、２の「第１扉」に相当する）を開けようとした場合、使用者には、仕切板があたかも扉の取っ手であるかのように見えてしまうことがある。また、閉塞板を設けた従来の冷蔵庫においても、片側の扉を開け、続けて反対側の扉を開けようとすると、やはり閉塞板が扉の取っ手であるかのように見えてしまうことがある。しかし実際には仕切板や閉塞板は取っ手ではないため、これをつかんで開けようとしても、扉を開けることはできない。
【０００７】
このような状況は、日常的に生じうる。例えば、一般的な家庭用冷蔵庫においては、仕切板の無い扉が右側に、仕切板のある扉が左側に設けられている場合が多い。そして扉の本来の取っ手は、扉の下側、もしくは扉の前面の両扉の境界近傍に設けられているのが一般的である。使用者は、冷蔵庫の中に食品を入れようとして左手がふさがっているときには、まず右手で右扉を開け、続けて右手で左扉を開けようとする。左扉の本来の取っ手を右手でつかんで開けようとすると、逆手でつかまなければならないため、取っ手のように見える仕切板や閉塞板を無意識のうちにつかんでしまうのである。正しく扉を開けるためには、意識的に扉の取っ手を認識してつかまなければならず、使用者に不便さを感じさせるものである。
【０００８】
この発明は、上記のような課題を解決するためになされたもので、使用者が自然な行動で正しく扉を開閉することのできる取っ手を備えた観音開式の扉を有する冷蔵庫を提供するものである。
【課題を解決するための手段】
【０００９】
この発明に係る冷蔵庫は、開口部を有する断熱箱体と、前記開口部を閉塞する観音開式の第１の扉及び第２の扉と、前記第１の扉または第２の扉のいずれか一方に設けられ、該扉の開閉動作に連動して回動する仕切板とを有し、前記仕切板を設けた方の扉の、前記仕切板を設けた側の側面に、前記第１の扉と第２の扉の両方が閉まっている場合には収納され、前記第１の扉もしくは第２の扉のいずれか一方が開いている場合には突出可能な突出自在の取っ手を備えたことを特徴とするものである。
【発明の効果】
【００１０】
この発明の冷蔵庫は、観音開式扉を持つ家庭用冷蔵庫において、仕切板を有する扉の、仕切板を設けた側の側面に取っ手を設けたので、使用者がこの取っ手をつかんで正しく扉を開けることができ、扉開閉時の利便性を向上させることができる。
【発明を実施するための最良の形態】
【００１１】
実施の形態１．
図１は、この発明の実施の形態１に係る冷蔵庫の正面外観図である。冷蔵庫の本体１は、最上部に右扉２、左扉３を備えて配置される冷蔵室１００と、冷蔵室１００の下方に冷凍温度帯（−１８℃）から冷蔵、野菜、チルド、ソフト冷凍（−７℃）などの温度帯に切り替えることのできる引き出しドアを備える切替室２００と、切替室２００と並んで設けられ引き出しドアを備える製氷室３００と、最下部に配置され引き出しドアを備えた冷凍室５００と、切替室２００及び製氷室３００と冷凍室５００との間に設けられた野菜室４００とで構成される。
【００１２】
冷蔵室１００には、観音開式に開閉する右扉２と左扉３とが設けられている。右扉２及び左扉３の底面部には、破線で示す窪み６が設けられており、この窪み６が従来の一般的な家庭用冷蔵庫においても取っ手の役割を果たす。右扉２及び左扉３が閉まった状態のときは、窪み６に手を掛けて扉を開けることができる。
また、右扉２の前面には、各庫内室の温度や動作設定を調節する操作スイッチ、及び各庫内室の温度を表示する液晶などから構成される操作パネル７が設置されている。なお、操作パネル７は、冷蔵庫の本体１の外観の意匠性を維持するため本体１の内部に設けてもよく、設置場所は問わない。
【００１３】
冷蔵庫本体１の背面には、図示しない圧縮機、冷却器を備えており、冷却器によって冷却された冷気は、図示しない冷却ファンによって送風され、図示しない風路により導かれて製氷室３００、切替室２００、冷蔵室１００、冷凍室５００の各庫内室を冷却する。冷蔵室１００の戻り冷気は、冷蔵室１００用の図示しない帰還風路より循環されて野菜室４００を冷却し、野菜室４００用の図示しない帰還風路より冷却器に戻される。各庫内室の温度は、各庫内室に設置された図示しないサーミスタにより検知され、風路に設置された図示しないダンパの開度や圧縮機の出力、及び冷却ファンの送風量を調整して設定温度となるよう制御される。
【００１４】
図２は、図１で示す冷蔵庫のＡ−Ａ断面における断面模式図、図３は右扉２を開けた状態の外観斜視図、図４は右扉２と左扉３とを開けた状態の外観斜視図である。図２〜図４において、右扉２と左扉３は、扉を回動させるための図示しない治具によって支持され、前記両扉の外周部内側には、マグネットを内蔵したシール材としての図示しないガスケットが張り巡らされている。左扉３には、図示しないヒータを内蔵した仕切板５が連設されており、仕切板５は、右扉２と左扉３が回動して開くために必要な両扉間の隙間から冷気が漏れて扉表面に結露が発生するのを抑制するためのものである。本体１の開口部上部には図示しない突起部が設けられており、この突起部が、仕切板５の上面に形成された図示しない溝を左扉３の開閉動作に連動して摺動することにより、仕切板５が回動する。右扉２、左扉３が閉じられた状態において、仕切板５は本体１の開口部に当接しており、右扉２、左扉３と本体開口部とを密着させ、左扉３を開けると、仕切板５が前述のようにして回動するようになっている。
【００１５】
左扉３において、仕切板を設けた側の側面には、使用者が手を掛けることのできる凹状の取っ手４が設けられている。取っ手４は左扉３の高さと略同一の長さに渡って設けられており、また、仕切板５の断熱性に影響を与えることはない。
【００１６】
このように構成した冷蔵庫において、図３に示すように、使用者が右扉２のみ開けた場合、使用者の目には手を掛けるのに適した凹み形状の取っ手４が映る。よって、取っ手４に手を掛け、容易に左扉３を開けることができる。従来のように取っ手４が無い場合、左扉３の端部から突出している仕切板５が使用者の目に入り、この仕切板５の形状はいかにも取っ手然としているので、仕切板５に手を掛けてしまっていたのであるが、上記取っ手４を設けることによりこのような事態を避けることができる。
【００１７】
以上のように本実施の形態１によれば、観音開式の扉を有する冷蔵庫において、仕切板５を設けた左扉３の側面に凹状の取っ手４を設けたので、使用者は誤って仕切板５に手を掛けることなく正しく左扉３を開けることができ、使い勝手を向上させることができる。また、取っ手４は、左扉３の高さとほぼ同じ長さに設けたので、取っ手４を使用者により確実に認識させることができる。
【００１８】
なお、取っ手４の凹状部分に左扉３の側面とは異なる色を付し、取っ手４を目立たせるようにしてもよい。取っ手４を目立たせることで、使用者は取っ手４の存在をより確実に認識することができ、誤って仕切板５に手を掛けてしまうことなく、容易に取っ手４に手を掛けて左扉３を開けることができる。ただし、右扉２と左扉３が閉まった状態において、両扉の間には扉の回動動作を可能にするためにある程度の隙間が設けられており、この隙間から扉の側面が見えるため、右扉２、左扉３の色と違和感のある色を付すと使用者に不快感を与える可能性がある。したがって、例えば取っ手４の色を右扉２、左扉３の色と同系色かつ明るめの色にする、などの工夫を行うことが望ましい。
【００１９】
また、仕切板５を、これに内蔵するヒータなどの部品と共に透明化してもよい。このようにすることで、仕切板５を目立たないようにして相対的に左扉３に設けた取っ手４を目立たせることができ、使用者が取っ手４に手を掛けやすくすることができる。
【００２０】
また、図５に示すように、取っ手４ａの凹状の形状を変化させ、取っ手４ａの手前側から奥に向かって大きくリブ８を張り出すようにしてもよい。このようにすることで、右扉２及び左扉３を閉じたときには取っ手４ａの凹状部分が外から見えないようにすることができ、取っ手４ａの凹状部分に色を付した場合でも、両扉を閉めた状態のときにはこの色が外部からは見えないようにすることができる。このように構成しても、右扉２のみを開けた場合には、リブ８及び取っ手４ａの凹み部分を認識することができるので、使用者は容易に取っ手４ａに手を掛けて左扉３を開けることができる。
【００２１】
実施の形態２．
上記実施の形態１では、左扉３に凹状の取っ手４を設ける場合の例について説明したが、本実施の形態２では、突出自在な取っ手を設ける場合の例について説明する。なお、本実施の形態２では、取っ手部分の構造のみ実施の形態１と異なるので、その他の部分については説明を省略する。
【００２２】
図６は、本実施の形態２に係る取っ手４ｂ及び左扉３ｂの要部を拡大した断面模式図である。取っ手４ｂの断面は略円弧状であり、この凹部は使用者が手を掛けることのできる丸みを形成している。左扉３ｂにはその略同一高さに渡って軸９が設けられており、取っ手４ｂは軸９に連接されて蝶着されている。取っ手４ｂは、図示しないバネの作用によって軸９を中心に回動可能である。また、取っ手４ｂは、左扉３の高さと略同一の長さであり、左扉３の側面に渡って設けられている。左扉３ｂには、取っ手４ｂを内部に収納可能な空間３１、３２が設けられている。
【００２３】
このように構成した取っ手４ｂにおいて、右扉２と左扉３の両方が閉まっている場合には、取っ手４ｂは図６の空間３１もしくは空間３２に収納されており、外部から見えることはない。先に右扉２のみを開けた場合、図示しないバネの作用により、取っ手４ｂは図６の実線で示す位置に突出し、この位置に保持される。左扉３を開ける際は、使用者がこの取っ手４ｂに手を掛けると、取っ手４ｂは空間３２に押し込まれながらＢに示す位置まで回動する。そして、このＢの位置に移動した取っ手４ｂの凹部に手を掛けて左扉３を開けることができる。
次に、扉を閉める場合の動作について説明する。右扉２及び左扉３の両方が開けられている場合において、先に右扉２を閉め、次いで左扉３を閉めると、取っ手４ｂは右扉２に当接して空間３２に押し込まれてＢの位置に収納される。また、先に左扉３を閉め、続けて右扉２を閉めると、取っ手４ｂは右扉２に当接して空間３１に押し込まれてＣの位置に収納される。このように、いずれの扉を先に閉めた場合であっても、取っ手４ｂを左扉３に収納することができる。
【００２４】
以上のように本実施の形態２によれば、観音開式の扉を有する冷蔵庫において、仕切板５を設けた左扉３ｂの側面から突出する取っ手４ｂを設けたので、使用者は誤って仕切板５に手を掛けることなく、正しく左扉３を開けることができ、使い勝手を向上させることができる。
また、右扉２と左扉３ｂの両方を閉めた状態では取っ手４ｂが突出せず、扉開閉時のみ突出するようにしたので、冷蔵庫の本体１の全体の意匠に取っ手４ｂが影響を及ぼすことはない。したがって、冷蔵庫の意匠性を維持したまま、扉開閉の使い勝手を向上させることができる。
【００２５】
なお、本実施の形態２では、取っ手４ｂの断面を略円弧状とした場合の例について説明したが、使用者が容易に手を掛けることのできる形状であれば、その形状は問わない。例えば、平板状、Ｌ字型などの断面を有する形状の取っ手４ｂを設けてもよく、同様の効果を得ることができる。
【００２６】
また、図７に別の取っ手の例を示す。図７は、左扉３ｃ、仕切板５、及び取っ手４ｃの要部を拡大した断面模式図である。図７において、取っ手４ｃは断面が略コ形状の柱状部材で構成されており、このコ形状の角部が取られている。また、左扉３ｃには取っ手４ｃが収納される空間３３が設けられている。取っ手４ｃと左扉３ｃとはバネ１０によって連接されており、バネ１０の弾性力により取っ手４ｃは左扉３ｃの空間３３から突出してこの位置に保持される。突出時においては、取っ手４ｃは仕切板５の右側端よりも長く飛び出す。また、取っ手４ｃの外端部には図示しないＮ極の磁石が設けられるとともに、図７には図示しない右扉２にも、取っ手４ｃと対向する側面にＮ極の磁石が設けられている。取っ手４ｃは、左扉３ｃの高さと略同一の長さを有し、左扉３ｃの閉塞板と当接する側の側面に渡って設けられている。
【００２７】
このような構成において、右扉２と左扉３ｃの両方が閉められた状態のときは、取っ手４ｃの磁石と右扉２の磁石とが反発するため、バネ１０が押し込まれて取っ手４ｃは左扉３ｃの空間３３に収納された状態となっている。右扉２を開けると、右扉２の磁力が遠ざかるため、取っ手４ｃは左扉３ｃから突出する。取っ手４ｃは、仕切板５の右側端部よりも長く突出する。また、左扉３ｃが閉まっている状態で右扉２を閉めると、磁石同士の反発力が強まり、取っ手４ｃは左扉３ｃの内部に押し込まれて収納される。右扉２が閉まっている状態で左扉３ｃを閉めた場合にも、同様にして取っ手４ｃを収納することができる。
【００２８】
以上のような取っ手４ｃを設けることによっても、前述の取っ手４ｂと同様の効果を得ることができる。また、取っ手４ｃでは、略コ形状の角部分を取っているので、右扉２と取っ手４ｃとが引っかかることなく取っ手４ｃの突出及び収納をスムーズに行うことができる。また、取っ手４ｃは、仕切板５の右側端部よりも長く突出するようにして設けたので、取っ手４ｃをより目立たせることができる。そのため、使用者はこの取っ手４ｃを容易に認識することができ、誤って仕切板５に手を掛けることなく、左扉３を開けることができる。
【００２９】
なお、上記実施の形態２においては、制御部とドアスイッチとを設け、ドアスイッチからの信号により左扉３の開閉回数を制御部にて記録し、左扉３の開閉回数が予め定められた所定回数に達した場合に操作パネル７に取っ手４ｂ、４ｃの交換時期を表示するようにしてもよい。このようにすることで、使用中に突然取っ手４ｂ、４ｃが突出しなくなるなどの不具合を未然に防ぐことができ、使用者の不便を回避することができる。ただし、頻繁に交換があることは冷蔵庫使用者にとっても不快なことであり、取っ手突出機構は少なくとも冷蔵庫の平均的な耐用年数（例えば１０年）と同等の耐用性を有すべきものであることは自明である。
【００３０】
また、取っ手４ｂ、４ｃに左扉３ｂ、３ｃの側面とは異なる色を付し、取っ手４ｂ、４ｃを目立たせるようにしてもよい。取っ手４ｂ、４ｃを目立たせることで、使用者は取っ手４ｂ、４ｃの存在をより確実に認識することができ、誤って仕切板５に手を掛けてしまうことなく、容易に取っ手４ｂ、４ｃに手を掛けて左扉３ｂ、３ｃを開けることができる。
【００３１】
以上、上記説明では、左扉３の高さと略同一の長さの取っ手４を設ける場合の例について説明したが、取っ手４の長さは短くしてもよい。例えば、使用者が手を掛けやすい左扉３の下半分にのみ、取っ手４を設けるようにしてもよい。また、幼児が手を掛けられない高さに取っ手４を設けるようにしてもよく、このようにすることで幼児のいたずらを回避することもできる。また、この内容は実施の形態２で述べた取っ手４ｂ、４ｃに適用することもでき、同様の効果を得ることができる。
【００３２】
また、上記説明では、冷蔵室１００に観音開式の扉を設けた冷蔵庫を例に説明したが、観音開式の扉を有する冷蔵庫であれば、各庫内室の具体的な構成についてはこの実施の形態に限られるものではない。例えば、冷蔵室１００以外に観音開式の扉を設けたものでもよく、また、野菜室４００や切替室２００を冷蔵室１００に内蔵したようなものにも適用可能である。
【００３３】
また、上記説明では、右扉２及び左扉３と本体１の開口部とを閉塞する手段として仕切板５を設けた冷蔵庫を例に説明したが、閉塞手段として閉塞板を設けた冷蔵庫にも適用することができる。この際には、上記実施の形態１または２で述べたのと同様の取っ手４、４ｂまたは４ｃを、右扉２または左扉３のいずれか一方の扉において、もう一方の扉と相対する側面に設ける。このようにすることで使用者に取っ手４、４ｂまたは４ｃを認識させることができ、使用者は誤って閉塞板に手をかけることなく、正しく右扉２または左扉３を開けることができ、使い勝手を向上させることができる。さらには、右扉２及び左扉３の両方の扉の相対する側面に取っ手４または４ｃを設けてもよい。なお、取っ手４ｃは突出する構成ではあるが、前述の実施の形態２で述べたように双方の取っ手４ｃにＮ極の磁石を設けることで、右扉２と左扉３とが遠ざかるにつれ双方の取っ手４ｃが突出し、右扉２と左扉３とが近づくことで双方の取っ手４ｃが収納されるという動作を実現できる。したがって、互いの取っ手４ｃを邪魔することなく右扉２と左扉３を開閉することができる。
【図面の簡単な説明】
【００３４】
【図１】この発明の実施の形態１における冷蔵庫の正面外観図である。
【図２】図１のＡ−Ａ断面における断面模式図である。
【図３】この発明の実施の形態１における右扉のみを開けたときの冷蔵庫の外観斜視図である。
【図４】この発明の実施の形態１における右扉と左扉を開けたときの冷蔵庫の外観斜視図である。
【図５】この発明の実施の形態１における他の取っ手の形態を示す、図１のＡ−Ａ断面における断面模式図である。
【図６】この発明の実施の形態２における取っ手の形態を示す、図１のＡ−Ａ断面における要部断面模式図である。
【図７】この発明の実施の形態２における他の取っ手の形態を示す、図１のＡ−Ａ断面における要部断面模式図である。
【符号の説明】
【００３５】
１  冷蔵庫本体、２  右扉、３  左扉、４  取っ手、５  仕切板、６  窪み、７  操作パネル、８  リブ、９  軸、１０  バネ、３１、３２、３３  空間、１００  冷蔵室、２００  切替室、３００  製氷室、４００  野菜室、５００  冷凍室。
【図１】
0004693862.tif 000002
【図２】
0004693862.tif 000003
【図３】
0004693862.tif 000004
【図４】
0004693862.tif 000005
【図５】
0004693862.tif 000006
【図６】
0004693862.tif 000007
【図７】
0004693862.tif 000008